(57)【要約】      （修正有）【課題】ドア枠から外れ落ちた場合でも誤飲するおそれのないビスキャップを提供する。【解決手段】ビスキャップ２０は、ドア枠１０のビス取付凹部１５に取り付けられたビスの頭部およびビス取付凹部１５を隠蔽するビスキャップ２０であって、平板状本体部２１と、ビス取付凹部１５に係合する係合部２５とを備えており、平板状本体部２１は、ＪＩＳＣ８５１３に規定された飲み込み判定ゲージよりも大きい。【選択図】図１
2020180483.tif 000002
【特許請求の範囲】
【請求項１】
ドア枠のビス取付凹部に取り付けられたビスの頭部および該ビス取付凹部を隠蔽するビスキャップであって、
平板状本体部と、前記ビス取付凹部に係合する係合部とを備えており、
前記平板状本体部は、ＪＩＳ  Ｃ８５１３に規定された飲み込み判定ゲージよりも大きいことを特徴とするビスキャップ。
【請求項２】
請求項１において、
前記平板状本体部の表面側に前記ドア枠と略同系統の化粧面が形成されていることを特徴とするビスキャップ。
【請求項３】
請求項１または２において、
前記平板状本体部は、径が３２ｍｍ以上の円形状、短径が３２ｍｍ以上の楕円形状、または最小辺長さが３２ｍｍ以上の四角形状であることを特徴とするビスキャップ。
【請求項４】
請求項１〜３のいずれか１項において、
前記ビス取付凹部は、戸じゃくりの底面に形成されており、
前記平板状本体部の幅寸法が前記戸じゃくりの幅寸法の８０％以上とされることを特徴とするビスキャップ。
【請求項５】
請求項１〜４のいずれか１項において、
前記平板状本体部が戸じゃくりの形状に対応した長尺形状とされることを特徴とするビスキャップ。
【請求項６】
請求項１〜５のいずれかのビスキャップを備えたドア枠。
【発明の詳細な説明】
【技術分野】
【０００１】
本発明は、ビスの頭部を隠すビスキャップおよびそれを備えたドア枠に関する。
【背景技術】
【０００２】
従来のこの種のビスキャップは、例えばドア枠を下地にビスで固定する場合、戸じゃくりの底面に設けられたビス取付丸穴を介してビスを取り付けたのちに、ビスの頭部を隠すようにビス取付丸穴に嵌め入れるようにして用いられる。
【０００３】
このビス取付丸穴は戸じゃくりの底面に設けてあるから当然に、ビス取付丸穴に取り付けたビスキャップは戸じゃくりの底面から突出しないものであることが必要とされる。よって、ビスキャップは、その全体がビス取付丸孔に嵌め入れられる形状、寸法の小さな物とされている。
【先行技術文献】
【特許文献】
【０００４】
【特許文献１】特開２００２−２７６２４８号公報
【発明の概要】
【発明が解決しようとする課題】
【０００５】
しかしながら、このようにビスキャップはビスの頭部におおむね相当する小さな寸法であるため、ビスキャップが万が一、外れ落ちた場合には幼児などが誤飲するおそれがあり、安全上の問題があった。
【０００６】
本発明は、このような事情を考慮して提案されたもので、その目的は、万が一、ドア枠から外れた場合でも誤飲するおそれのないビスキャップおよびそれを備えたドア枠を提供することにある。
【課題を解決するための手段】
【０００７】
上記目的を達成するために、本発明のビスキャップは、ドア枠のビス取付凹部に取り付けられたビスの頭部およびビス取付凹部を隠蔽するビスキャップであって、平板状本体部と、ビス取付凹部に係合する係合部とを備えており、平板状本体部が、ＪＩＳ  Ｃ８５１３に規定された飲み込み判定ゲージよりも大きいことを特徴とする。
【０００８】
また、本発明のドア枠は上述したビスキャップを備えたことを特徴とする。
【発明の効果】
【０００９】
本発明のビスキャップは上述した構成とされているため、万が一、ビスキャップがドア枠から外れた場合でも、そのビスキャップは誤飲されるおそれはなく、動物や小さな子どもがいる場所でも安全に利用することができる。特に、幼児が多く集まる保育園や幼稚園などの施設において、このビスキャップを用いれば安全対策として有効である。
【００１０】
また、本発明のドア枠は上述した構成とされているため、ドア枠に取り付けたビスキャップが外れても、そのビスキャップが誤飲されるおそれはほとんどなく、動物や小さな子どもがいる住居でも安全に利用することができる。特に、幼児が多く集まる保育園や幼稚園などの施設において、このドア枠を採用すれば安全対策として有効である。
【図面の簡単な説明】
【００１１】
【図１】本発明の実施形態に係るビスキャップとそれを備えたドア枠の説明図である。（ａ）はドア枠の一例の要部を示す分解斜視図、（ｂ）は同他例の要部を示す分解斜視図、（ｃ）は（ｂ）に対応した平面図である。
【図２】（ａ）は、図１（ａ）のＡ−Ａ線に対応したビスキャップの断面図およびこのビスキャップを取り付けるドア枠の部分断面図である。（ｂ）は同ビスキャップの正面図、（ｃ）は飲み込み判定ゲージの斜視図である。
【図３】（ａ）〜（ｆ）は、飲み込み判定ゲージにて判断される、飲み込み可能性なし（安全）／飲み込み可能性あり（危険）の種々の６例を示す対象物（ビスキャップの平板状本体部）の正面図である。
【図４】（ａ）〜（ｃ）は、ビスキャップの他の３例を示す縦断面図である。
【発明を実施するための形態】
【００１２】
以下に、本発明の実施の形態について、添付図面を参照しながら説明する。
まず、ビスキャップ２０の基本構成と、そのビスキャップ２０の、ドア枠用のドア枠部材に対する取付態様について記述する。
【００１３】
本ビスキャップ２０は、図１（ａ）（ｂ）等に示すように、ドア枠１０のビス取付凹部１５に取り付けられたビス１の頭部２およびビス取付凹部１５を隠蔽する部材である。このビスキャップ２０は、平板状本体部２１と、ビス取付凹部１５に係合する係合部２５とを備えており、平板状本体部２１は、「ＪＩＳ  Ｃ８５１３」に規定された飲み込み判定ゲージ３０よりも大きい。
【００１４】
ドア枠部材１１（図例では、縦枠部材１１）に、このビスキャップ２０が取り付けられてドア枠（縦枠１０）が構成される。以下、このビスキャップ２０と、このビスキャップ２０を備えた縦枠１０について説明する。
【００１５】
図１（ａ）（ｂ）は、２種のビスキャップ２０の取付態様の２例を示す斜視図である。いずれのビスキャップ２０も、縦枠部材１１の戸じゃくり１２に設けられたビス取付凹部１５に対して取り付けるものである。ビス取付凹部１５の底面のほぼ中央にはビス取付丸穴１７が設けてあり、このビス取付丸穴１７を介してビス１により縦枠部材１１が固定用の下地１９に固定される。なお、ビス取付丸穴１７は縦枠部材１１の上下方向に沿って複数形成されている。以下、図１（ａ）（ｂ）の態様別に説明する。
【００１６】
図１（ａ）に示した例は、１つのビス取付丸穴１７に対応して１つのビス取付凹部１５が設けられており、ビスキャップ２０はそのビス取付凹部１５に取り付けられる態様とされる。図１（ａ）および図２（ｂ）に示すように、ビス取付凹部１５は長方形状とされ、中央にビス取付丸穴１７が開設され、その開口側の周囲に段差凹部１６が形成されている。段差凹部１６の幅寸法は戸じゃくり１２の幅寸法の８０％以上とされ、本例では戸じゃくり１１の幅寸法を約４０ｍｍ、段差凹部１６の幅寸法を約３５ｍｍとしている。また、段差凹部１６の上下方向の寸法は約３２ｍｍとされている。
【００１７】
ビスキャップ２０は、ビス取付凹部１５の形状に対応した長方形状の平板状本体部２１を有している。この平板状本体部２１の対向する一対の辺縁部のそれぞれには、辺縁の全長に対応して裏面側に突出した脚部２２が形成され、裏面中央には、縦枠部材１１のビス取付丸穴１７に係合する、先端が開口した低円筒状の突部２３が形成されている。なお、平板状本体部２１は表面が少し湾曲したものとしてもよい。
【００１８】
これら一対の脚部２２と、突部２３とがビス取付凹部１５に係合する係合部２５を構成している。図２（ａ）の２点鎖線で示すように、脚部２２が戸じゃくり１２の延びる方向に平行な段差凹部１６の端縁に、脚部２２の先端が段差凹部１６の底面に当接するように係合し、かつ突部２３がビス取付丸穴１７に係合するように、ビスキャップ２０は取り付けられる。
【００１９】
段差凹部１６の深さは、平板状本体部２１の表面から脚部２２の先端までの寸法にほぼ合致しており、ビスキャップ２０が取り付けられた状態では、ビスキャップ２０の表面２６と、戸じゃくり１２の底面１３とはほぼ面一となる（図２（ａ）参照）。また、ビスキャップ２０の表面２６に、縦枠部材１１の化粧面と略同系統の化粧面が形成されていれば、ビスキャップ２０が目立ちにくくなり、ほぼ面一となった両面を一体として表現することができる。
【００２０】
このように、本ビスキャップ２０は１つのビス取付丸穴１７に対応して取り付けられるものであるため、ビスキャップ２０の取り扱いはしやすく、また脚部２２と突部２３とで段差凹部１６に係合させるので外れにくい。さらに外れ防止のために、ビスキャップ２０は接着剤を用いて取り付けてもよい
【００２１】
ついで、このビスキャップ２０の平板状本体部２１と、人（子ども）が飲み込むおそれがある電池の大きさをＪＩＳ規格「ＪＩＳ  Ｃ８５１３」で規定した飲み込み判定ゲージ３０との大小関係について説明する。以下では、たんに「飲み込み判定ゲージ３０」と略記する。
【００２２】
飲み込み判定ゲージ３０は、上端が傾斜状とされ、傾斜した楕円形状の上端開口３１と、円形状の下端開口３２とが連通する円筒形状とされる。飲み込み判定の対象物が、この飲み込み判定ゲージ３０の筒内に納まらない寸法であれば飲み込み不可能、つまり誤飲のおそれのない安全な寸法の物であると判断することができる。
【００２３】
飲み込み判定ゲージ３０は、内径Ｌを５７．１（＋０．１）ｍｍ、高さ寸法Ｈ１を２５．４（＋０．１）ｍｍ、高さ寸法Ｈ２を５７．１（＋０．１）ｍｍとしたものである。
【００２４】
図１（ａ）に示したビスキャップ２０の平板状本体部２１は、図２（ｂ）に示すように、１辺の長さ寸法（幅寸法）をＬ１（ｍｍ）、他の１辺の長さ寸法をＬ２（ｍｍ）（＜Ｌ１）とした長方形状である。平板状本体部２１は段差凹部１６の形状、寸法に合致するものであるため、平板状本体部２１の最大辺長さＬ１が３５ｍｍ、最小辺長さＬ２が３２ｍｍとされる。
【００２５】
したがって、それらの寸法と、飲み込み判定ゲージ３０の内径Ｌとの大小関係は、
Ｌ１  ＞  最小辺長さＬ２  ＞  飲み込み判定ゲージ３０の内径Ｌ
と表される。
【００２６】
このような寸法関係であるため、このビスキャップ２０は飲み込み判定ゲージ３０の筒内には納まらない。具体的には、寸法Ｌ２の１辺側の一部を飲み込み判定ゲージ３０の上端開口３１より入れることはできるが、大半が飛び出た状態となり、当然に通過させることもできない。つまり、平板状本体部２１は、「ＪＩＳ  Ｃ８５１３」に規定された飲み込み判定ゲージ３０よりも大きい。
【００２７】
したがって、このようなビスキャップ２０が縦枠１０から外れ落ちたり、子どもが外したりしても、子どもが飲み込むおそれはなく安全である。そのため、このようなビスキャップ２０は、例えば保育園や幼稚園など、幼児や子どもが多くいる施設において好適に用いることができる。
【００２８】
また、図１（ｂ）に示した例は、戸じゃくり１２の全長にわたり設けた複数のビス取付丸穴１７に対応して、戸じゃくり１２に相当する長さのビス取付凹部１５が設けられており、ビスキャップ２０はそのビス取付凹部１５に取り付けられる態様とされる。図１（ａ）（ｃ）に示すように、ビス取付丸穴１７は戸じゃくり１２の幅方向のほぼ中央に開設され、その周囲に段差凹部１６が形成されている。
【００２９】
段差凹部１６は、戸じゃくり１２の幅方向のほぼ中央に配されており、その幅寸法は戸じゃくり１２の幅寸法Ｗの８０％以上とされ、本例では戸じゃくり１２の幅寸法Ｗを約３５ｍｍ、段差凹部の幅寸法を約２８ｍｍとしている。
【００３０】
ビスキャップ２０は、段差凹部１６の全長に対応した長尺形状とされ、幅方向の両端には裏面側に突出した脚部２２が設けられている。これら一対の脚部２２がビス取付凹部１５（の段差凹部１６）に係合する係合部２５を構成している。なお、ビス取付丸穴１７の形成位置の誤差を考慮して、本ビスキャップ２０には、ビス取付丸穴１７に係合する突部２３（図２（ａ）参照）は形成されていない。また、平板状本体部２１は表面が少し湾曲したものとしてもよく、特に幅方向の中央が凸湾曲または凹湾曲していてもよい。
【００３１】
また、本ビスキャップ２０も図１（ａ）のものと同様、肉抜き形成されているが、中央に突部２３がないため、段差凹部１６に取り付けたのちに中央が押圧されて凹むおそれがある。そのため、裏面の幅方向の中央に脚部２２に平行で脚部２２と同じ突出寸法のリブ条２４を設けて強度向上を図ってもよい。
【００３２】
段差凹部１６の深さは、平板状本体部２１の表面２６から脚部２２の先端までの寸法にほぼ合致しているため、ビスキャップ２０が取り付けられた状態では、ビスキャップ２０の表面２６と、戸じゃくり１２の底面１３とはほぼ面一となる（図１（ｃ）参照）。また、ビスキャップ２０の表面２６には、縦枠部材１１の化粧面と略同系統の化粧面が形成されていれば、ビスキャップ２０が目立ちにくくなり、ほぼ面一となった両面を一体として表現することができる。
【００３３】
このように、本ビスキャップ２０は戸じゃくり１２の全長に対応したものであるため、１つの縦枠部材１１に対して、取付作業を短時間に完了することができる。また、外れ防止のために、接着剤を用いてビスキャップ２０を取り付けてもよい。
【００３４】
このビスキャップ２０の平板状本体部２１は段差凹部１６の形状、寸法に合致するものであるため、ビスキャップ２０の幅寸法Ｌ３は約２８ｍｍであり、縦方向の寸法は段差凹部１６の全長に合致している。
【００３５】
したがって、このビスキャップ２０は、幅寸法Ｌ３が飲み込み判定ゲージ３０の内径Ｌより小さく、飲み込み判定ゲージ３０を通過するが、長さ寸法が大きく、平板状本体部２１は飲み込み判定ゲージ３０よりも大きい。
【００３６】
このような長尺形状のビスキャップ２０であれば、誤飲されるおそれは当然にない。ビスキャップ２０が縦枠１０から外れ落ちたり、子どもが外したりしても、動物や子どもが飲み込むおそれはなく安全である。このようなビスキャップ２０ついても、保育園や幼稚園などの施設で好適に用いることができる。
【００３７】
つぎに、飲み込み判定ゲージ３０で判断できる、飲み込み可能性なし（安全）／飲み込み可能性あり（危険）の種々の例を、図３（ａ）〜（ｆ）にもとづいて説明する。
【００３８】
図３（ａ）の例は、対象物（ビスキャップ２０の平板状本体部２１）を長方形状としたものである。図３（ａ）に示すように、対象物は、最小辺長さ寸法が飲み込み判定ゲージ３０の内径Ｌよりも小さく、外形の大部分が飲み込み判定ゲージ３０に納まるが、一部が上端開口３１より突出しており、全体としては飲み込み判定ゲージ３０に納まっていない。つまり、対象物は飲み込み判定ゲージ３０よりも大きく、子どもが飲み込む危険性はないと判断できる。ただし、対象物は飲み込み判定ゲージ３０を通過する形状、寸法ではある。
【００３９】
図３（ｂ）の例は対象物を円形状としたものである。この対象物の径は飲み込み判定ゲージ３０の内径Ｌよりも大きく、飲み込み不可能の対象物と判断することができる。
【００４０】
また、図３（ｃ）（ｄ）のものはいずれも、対象物を楕円形状とした例である。図３（ｃ）のものは、楕円形状の短径が飲み込み判定ゲージ３０の内径Ｌよりも小さいが、一部が上端開口３１より突出するため、飲み込み不可能と判断することができる。なお、この対象物も飲み込み判定ゲージ３０を通過する。図３（ｄ）のものは、対象物の短径が飲み込み判定ゲージ３０の内径Ｌよりも大きいため、飲み込み不可能と判断することができる。
【００４１】
図３（ｅ）（ｆ）の２例は、いずれも飲み込み可能性ありの例である。対象物が図３（ｅ）のように長方形状の場合でも、図３（ｆ）のように円形状の場合でも、飲み込み判定ゲージ３０に全体が納まる（飲み込み判定ゲージ３０よりも小さい）ため、飲み込み可能性ありと判断することができる。
【００４２】
飲み込み不可能の対象物として、図３（ａ）（ｃ）のように、飲み込み判定ゲージ３０より少しでも大きい物であれば問題はないが、図３（ｂ）（ｄ）や、図１（ａ）に示したような平板状本体部２１を有したものにすれば、より安全である。具体的には、平板状本体部２１が、径が３２ｍｍ以上の円形状、短径が３２ｍｍ以上の楕円形状、または最小辺長さが３２ｍｍ以上の四角形状とされることが望ましい。もちろん、図１（ｂ）のような長尺状のものもよい。
【００４３】
以上の内容を考慮すれば、図１（ａ）において、戸じゃくり１２の幅寸法に合わせて平板状本体部２１の一方辺の長さ寸法Ｌ１が飲み込み判定ゲージ３０の内径Ｌよりも小さくなる場合でも、飲み込み不可能のビスキャップ２０を形成することができる。すなわち、平板状本体部２１の一方辺の長さ寸法Ｌ１が３０ｍｍ程度であっても、他方辺の長さ寸法Ｌ２を例えば４０ｍｍ程度に大きくして、図３（ａ）のような平板状本体部２１にすればよい。そうすることで、飲み込み不可能のビスキャップ２０として用いることができる。同様に、戸じゃくり１２の幅寸法が小さい場合には、平板状本体部２１を図３（ｃ）のような楕円形状にしてもよい。
【００４４】
つぎに、ビスキャップ２０の他の形状である、図４（ａ）〜（ｃ）の３例について説明する。なお、これらのビスキャップ２０の平板状本体部２１の形状は、図１（ａ）に示したものと同形状とされる。つまり、これらのビスキャップ２０は飲み込み判定ゲージ３０よりも大きい。これらの図に示した断面図は、図１（ａ）のＡ−Ａ線に対応したものである。
【００４５】
図１（ａ）のビスキャップ２０の平板状本体部２１は、肉抜きされ脚部２２を有した形状であるが、それに対し、図４（ａ）（ｂ）のものは脚部２２がなく、空間が形成されることなくビス取付凹部１５の段差凹部１６に嵌め入れできる、ほぼ平板体状ものである。図４（ａ）のものはビス取付丸穴１７に係合する突部２３はなく、図４（ｂ）のものは突部２３を備えている。このように、これらは、平板状本体部２１自体がビス取付凹部１５に係合する係合部２５を構成する。
【００４６】
このように、図４（ａ）（ｂ）のビスキャップ２０は肉抜きされていないため、ビス取付凹部１５に取り付けた状態でたわむことはなく、強度を上げることができる。
【００４７】
また、図４（ｃ）のビスキャップ２０は脚部２２を有したものであるが、裏面には突部２３が形成されていない。このビスキャップ２０の取付対象であるビス取付凹部１５は、段差凹部１６を備えているが、ビス取付丸穴１７を有していない。したがって、ビス１は段差凹部１６の底面より直接ねじ込まれ、ビス１の頭部２は段差凹部１６側に突出した状態となるが、ビスキャップ２０の脚部２２間には空間ができるため、ビス１の頭部２との接触を回避でき、かつ頭部２を覆い隠すことができる。このようにすれば、ビス取付丸穴１７が不要となるため縦枠部材１１の成形を簡易化できる。
【００４８】
以上に示したビスキャップ２０は、縦枠１０用のものとして説明したが、例えば上枠を下地にビス止めする場合のビスキャップとしても利用することができる。
【符号の説明】
【００４９】
１      ビス
２      頭部
１０    縦枠（ドア枠）
１１    縦枠部材（ドア枠部材）
１２    戸じゃくり
１５    ビス取付凹部
１９    下地
２０    ビスキャップ
２１    平板状本体部
２５    係合部
２６    表面
３０    飲み込み判定ゲージ
【図１】
2020180483.tif 000003
【図２】
2020180483.tif 000004
【図３】
2020180483.tif 000005
【図４】
2020180483.tif 000006